(57)【要約】【課題】検出用電極に発生するノイズの影響を簡易な構成のもとで抑制する。【解決手段】第１基板１０には検出用電極１６が形成される。画素回路Ｐの液晶容量ＣLは、画素電極２２と、制御線４３に接続された対向電極２６と、両電極間のフリンジ電界Ｅが印加される液晶３０とを含む。選択回路５１は、選択行の走査線４１に対応した画素電極２２を選択期間Ｈにて信号線４５に接続し、選択期間Ｈの経過後に信号線４５から絶縁する。信号供給回路５５は、正極性書込または負極性書込に対応した電位ＶDを選択期間Ｈにて信号線４５に供給する。電位制御回路５３は、各制御線４３を、当該制御線４３に対応した走査線４１が選択される選択期間Ｈにて、正極性書込時には電位ＶL（＜ＬＣCOM）に設定し、負極性書込時には電位ＶH（＞ＬＣCOM）に設定する一方、当該選択期間Ｈの経過後に電位ＬＣCOMに設定する。【選択図】図４
2008216725.tif 000002
【特許請求の範囲】
【請求項１】
相対向する第１基板と第２基板との間隙に液晶が封止され、前記第１基板を挟んで前記液晶とは反対側に、静電容量の変化に応じて接触を検出するための検出用電極が設置された液晶装置であって、
複数の走査線と、
前記複数の走査線に交差する信号線と、
前記各走査線に対応する複数の制御線と、
前記信号線と前記複数の走査線との各交差に対応して前記第２基板に形成された複数の画素回路であって、スイッチング素子を介して前記信号線に接続される画素電極と、前記画素電極と前記液晶との間に形成されて前記制御線に接続された対向電極と、両電極間のフリンジ電界が印加される液晶とで構成される液晶容量を各々が含む複数の画素回路と、
前記複数の走査線の各々を選択期間ごとに選択し、当該走査線に対応した画素回路の前記スイッチング素子を前記選択期間にて導通させるとともに当該選択期間の経過後に非導通とする選択回路と、
正極性書込または負極性書込に対応したデータ電位を前記各選択期間にて前記信号線に供給する信号供給回路と、
前記複数の制御線の各々を、当該制御線に対応した走査線が選択される選択期間にて、正極性書込時には基準電位よりも低い電位に設定し、負極性書込時には前記基準電位よりも高い電位に設定する一方、当該選択期間の経過後に前記基準電位に設定する電位制御回路と
を具備する液晶装置。
【請求項２】
前記検出用電極は、前記第１基板のうち前記液晶とは反対側の表面に形成される
請求項１に記載の液晶装置。
【請求項３】
請求項１または請求項２に記載の液晶装置を具備する電子機器。
【請求項４】
相対向する第１基板および第２基板と、前記第１基板と前記第２基板との間隙に封止された液晶と、複数の走査線と、前記複数の走査線に交差する信号線と、前記各走査線に対応する複数の制御線と、前記信号線と前記複数の走査線との各交差に対応して前記第２基板に形成された複数の画素回路とを具備し、前記複数の画素回路の各々は、画素電極と、前記画素電極と前記液晶との間に形成されて前記制御線に接続された対向電極と、両電極間のフリンジ電界が印加される液晶とで構成される液晶容量を含み、前記第１基板を挟んで前記液晶とは反対側に、静電容量の変化に応じて接触を検出するための検出用電極が設置された液晶装置を駆動する方法であって、
前記複数の走査線の各々を選択期間ごとに選択し、当該走査線に対応した画素回路の画素電極を、前記選択期間にて前記信号線に接続するとともに当該選択期間の経過後に前記信号線から絶縁し、
正極性書込または負極性書込に対応したデータ電位を前記各選択期間にて前記信号線に供給し、
前記複数の制御線の各々を、当該制御線に対応した走査線が選択される選択期間にて、正極性書込時には基準電位よりも低い電位に設定し、負極性書込時には前記基準電位よりも高い電位に設定する一方、当該選択期間の経過後に前記基準電位に設定する
液晶装置の駆動方法。
【発明の詳細な説明】
【技術分野】
【０００１】
本発明は、静電容量の変化に応じて指やペンの接触を検出するための電極（以下「検出用電極」という）が形成された液晶装置を駆動する技術に関する。
【背景技術】
【０００２】
静電容量方式のタッチパネルを搭載した液晶装置が従来から提案されている。検出用電極は液晶装置に近接して配置されるから、検出用電極と液晶装置内の要素（例えば電極や配線）との間には容量が付随する。したがって、液晶装置において画像の表示に利用される信号の変動に起因して検出用電極にノイズが発生するという問題がある。特許文献１には、対向電極の電位の変動に起因したノイズを、検出用電極の静電容量の変化に応じた検出信号から除去する技術が開示されている。
【特許文献１】特開２００６−１４６８９５号公報
【発明の開示】
【発明が解決しようとする課題】
【０００３】
しかし、特許文献１の技術においては、検出信号からノイズを除去するための複雑な回路が必要であるから、回路規模が肥大化するとともに製造コストが増大するといった問題がある。以上の事情に鑑みて、本発明は、検出用電極に発生するノイズの影響を簡易な構成のもとで抑制するという課題の解決をひとつの目的としている。
【課題を解決するための手段】
【０００４】
以上の課題を解決するために、本発明に係る液晶装置は、相対向する第１基板と第２基板との間隙に液晶が封止され、第１基板を挟んで液晶とは反対側に、静電容量の変化に応じて接触を検出するための検出用電極が設置された液晶装置であって、複数の走査線と、複数の走査線に交差する信号線と、各走査線に対応する複数の制御線と、信号線と複数の走査線との各交差に対応して第２基板に形成された複数の画素回路であって、スイッチング素子を介して信号線に接続される画素電極と、画素電極と液晶との間に形成されて制御線に接続された対向電極と、両電極間のフリンジ電界が印加される液晶とで構成される液晶容量を各々が含む複数の画素回路と、複数の走査線の各々を選択期間ごとに選択し、当該走査線に対応した画素回路のスイッチング素子を選択期間にて導通させるとともに当該選択期間の経過後に非導通とする選択回路と、正極性書込または負極性書込に対応したデータ電位（例えば図４の電位ＶDPや電位ＶDN）を各選択期間にて信号線に供給する信号供給回路と、複数の制御線の各々を、当該制御線に対応した走査線が選択される選択期間にて、正極性書込時には基準電位よりも低い電位に設定し、負極性書込時には基準電位よりも高い電位に設定する一方、当該選択期間の経過後に基準電位に設定する電位制御回路とを具備する。
【０００５】
以上の構成においては、複数の制御線のうち選択回路が選択した走査線に対応した制御線のみが選択期間にて変動し、非選択の走査線に対応した制御線は基準電位に維持される。したがって、例えば第１基板の全面にわたって連続する対向電極の電位が周期的に変動する構成と比較して、対向電極の電位の変動に起因した検出用電極のノイズを低減することができる。本発明に係る液晶装置は、パーソナルコンピュータや携帯電話機といった各種の電子機器に採用される。
【０００６】
本発明の好適な態様において、検出用電極は、第１基板のうち液晶とは反対側の表面に形成される。本態様によれば、対向電極の電位の変動に起因した検出用電極のノイズを抑制しながら、検出用電極が第１基板とは別個の基板に形成された構成と比較して液晶装置の構成が簡素化される。
【０００７】
本発明は、液晶装置を駆動する方法としても特定される。液晶装置は、相対向する第１基板および第２基板と、第１基板と第２基板との間隙に封止された液晶と、複数の走査線と、複数の走査線に交差する信号線と、各走査線に対応する複数の制御線と、信号線と複数の走査線との各交差に対応して第２基板に形成された複数の画素回路とを具備し、複数の画素回路の各々は、画素電極と、画素電極と液晶との間に形成されて制御線に接続された対向電極と、両電極間のフリンジ電界が印加される液晶とで構成される液晶容量を含み、第１基板を挟んで液晶とは反対側に、静電容量の変化に応じて接触を検出するための検出用電極が設置される。本発明に係る駆動方法は、複数の走査線の各々を選択期間ごとに選択し、当該走査線に対応した画素回路の画素電極を、選択期間にて信号線に接続するとともに当該選択期間の経過後に信号線から絶縁し、正極性書込または負極性書込に対応したデータ電位を各選択期間にて信号線に供給し、複数の制御線の各々を、当該制御線に対応した走査線が選択される選択期間にて、正極性書込時には基準電位よりも低い電位に設定し、負極性書込時には基準電位よりも高い電位に設定する一方、当該選択期間の経過後に基準電位に設定する。以上の方法によれば、本発明に係る液晶装置と同様の作用および効果が奏される。
【発明を実施するための最良の形態】
【０００８】
＜Ａ：液晶装置＞
図１は、本発明のひとつの形態に係る液晶装置の構成を示す断面図である。液晶装置１００は、液晶の光学的な作用によって画像を表示する機能と、指やペンが接触または接近した部分（以下「接触部」という）の位置を静電容量の変化に応じて検出する機能とを備えた静電容量式タッチパネル付き液晶表示装置である。図１に示すように、液晶装置１００は、相対向する光透過性の第１基板１０および第２基板２０と、両基板の間隙に封止された液晶３０とを具備する。なお、図１においては、配向膜やシール材の図示が省略されている。
【０００９】
第２基板２０のうち第１基板１０に対向する表面には配線層２１が形成される。配線層２１は、各種の配線やスイッチング素子を含む。配線層２１の表面には、行列状に配列する複数の画素電極２２が相互に離間して形成される。複数の画素電極２２が形成された配線層２１の表面は絶縁層２４に覆われる。
【００１０】
絶縁層２４の表面には、各画素電極２２に対向する複数の対向電極２６が形成される。画素電極２２および対向電極２６は光透過性の導電体（例えばＩＴＯ（Indium Tin Oxide））で形成される。対向電極２６には、画素電極２２と対向電極２６との間にフリンジ電界Ｅを発生させるための多数のスリット２６１が形成される。図１の駆動回路５０は、画素電極２２と対向電極２６との電圧（フリンジ電界Ｅ）を制御することで液晶３０を画素電極２２ごとに駆動する。すなわち、液晶３０はＦＦＳ（Fringe Field Switching）モードで動作する。
【００１１】
第１基板１０のうち第２基板２０に対向する表面には、各画素電極２２に対向する複数の着色層１２が形成される。各着色層１２は、液晶３０から第１基板１０側に進行する光のうち複数の表示色（赤色，緑色，青色）の何れかに対応した波長の成分を選択的に透過させる。
【００１２】
第１基板１０のうち液晶３０とは反対側（外側）の表面には検出用電極１６が形成される。検出用電極１６は、静電容量の変化に応じて接触を検出するための電極である。本形態の検出用電極１６は、第１基板１０の全域にわたって連続的に分布するように光透過性の導電体（例えばＩＴＯ）で形成される。
【００１３】
図１の検出回路６０は、検出用電極１６から電気信号（以下「検出信号」という）ＳDを検出するとともに検出信号ＳDに基づいて接触部の位置を特定する。例えば、検出回路６０は、検出用電極１６の複数の端子（例えば四隅）に対して共通の交流電圧を印加したときに各端子から接触部に流れる電流を検出信号ＳDとして検出し、各検出信号ＳDの電流値に基づいて接触部の位置を特定する。ただし、検出用電極１６の形態は任意である。例えば、複数の検出用電極１６が行列状に配列された構成も採用される。検出回路６０は、各行および各列の検出用電極１６から取得した検出信号ＳDに基づいて接触部の位置を特定する。
【００１４】
検出用電極１６の面上には偏光板１８が貼着される。同様に、第２基板２０のうち液晶３０とは反対側の面上には偏光板２８が貼着される。液晶装置１００の背面側（第２基板２０からみて液晶３０とは反対側）には照明装置３５が設置される。照明装置３５からの出射光が、第２基板２０と液晶３０と着色層１２と第１基板１０と検出用電極１６とを以上の順番に通過して観察側に出射することで画像が表示される。
【００１５】
図２は、液晶装置１００のうち画像を表示するための要素の電気的な構成を示すブロック図である。第２基板２０には、図２に示すように、Ｘ方向に延在するｍ本の走査線４１と、各走査線４１に対をなしてＸ方向に延在するｍ本の制御線４３と、Ｘ方向に直交するＹ方向に延在するｎ本の信号線４５とが形成される（ｍおよびｎの各々は自然数）。走査線４１と信号線４５との各交差に対応した位置には画素回路Ｐが配置される。したがって、画素回路Ｐは、Ｘ方向およびＹ方向にわたって縦ｍ行×横ｎ列の行列状に配列する。
【００１６】
図３は、画素回路Ｐの構成を示す回路図である。同図においては、第ｉ行（ｉ＝１〜ｍ）に属する第ｊ列目（ｊ＝１〜ｎ）のひとつの画素回路Ｐのみが代表的に図示されている。図３に示すように、画素回路Ｐは、液晶容量ＣLと蓄積容量ＣSとスイッチング素子ＳＷとを含む。スイッチング素子ＳＷは、走査線４１や信号線４５とともに図１の配線層２１に形成される。
【００１７】
液晶容量ＣLは、画素電極２２と対向電極２６と両電極間のフリンジ電界Ｅが印加される液晶３０とで構成される容量である。蓄積容量ＣSは、第１電極ｅ1と第２電極ｅ2とを含む。第２電極ｅ2は、液晶容量ＣLの画素電極２２に電気的に接続される。第ｉ行の各画素回路Ｐにおける対向電極２６と第１電極ｅ1とは、第ｉ行の制御線４３に対して共通に接続される。なお、実際には制御線４３と対向電極２６とが帯状の配線として一体に形成される。また、画素電極２２と対向電極２６とが絶縁層２４を挟んで対向する部分が蓄積容量ＣSとして機能する。したがって、対向電極２６の一部が第１電極ｅ1に相当し、画素電極２２の一部が第２電極ｅ2に相当する。
【００１８】
第ｊ列に属する各画素回路Ｐのスイッチング素子ＳＷは、画素電極２２と第ｊ列目の信号線４５との間に介在して両者の電気的な接続（導通／非導通）を制御するｎチャネル型の薄膜トランジスタである。第ｉ行の各画素回路Ｐにおけるスイッチング素子ＳＷのゲートは、第ｉ行の走査線４１に対して共通に接続される。
【００１９】
図２に示すように、駆動回路５０は、選択回路５１と電位制御回路５３と信号供給回路５５とを具備する。なお、駆動回路５０は、ひとつの集積回路で構成されてもよいし複数の集積回路で構成されてもよい。また、画素回路Ｐのスイッチング素子ＳＷとともに第２基板２０の表面に形成されたスイッチング素子（薄膜トランジスタ）によって駆動回路５０が構成されてもよい。
【００２０】
図４は、液晶装置１００の動作を説明するためのタイミングチャートである。選択回路５１は、ｍ本の走査線４１の各々（各行の画素回路Ｐ）を順番に選択するための選択信号Ｙ[1]〜Ｙ[m]を生成して各走査線４１に出力する。図４に示すように、第ｉ行の走査線４１に供給される選択信号Ｙ[i]は、ひとつのフレーム期間Ｆのうち第ｉ番目の選択期間（水平走査期間）Ｈにてアクティブレベル（ハイレベル）となり、選択期間Ｈ以外の期間にてローレベルを維持する。したがって、第ｉ行の各画素回路Ｐのスイッチング素子ＳＷは、フレーム期間Ｆの第ｉ番目の選択期間Ｈにて導通し、当該選択期間Ｈが経過すると非導通の状態に遷移する。
【００２１】
図２の信号供給回路５５は、各画素回路Ｐの階調を指定するデータ信号Ｘ[1]〜Ｘ[n]を生成して各信号線４５に出力する。第ｊ列目の信号線４５に供給されるデータ信号Ｘ[j]は、選択信号Ｙ[i]がハイレベルとなる選択期間Ｈにおいて、第ｉ行に属する第ｊ列目の画素回路Ｐに指定された階調に応じた電位ＶD（ＶDPまたはＶDN）となる。
【００２２】
液晶装置１００は、液晶容量ＣLに印加される電圧の極性がフレーム期間Ｆごとに反転するフレーム反転駆動を採用する。データ信号Ｘ[j]は、液晶容量ＣLに対して正極性の電圧の印加（以下「正極性書込」という）が実行されるフレーム期間Ｆの各選択期間Ｈにて電位ＶDPに設定され、負極性の電圧の印加（以下「負極性書込」という）が実行されるフレーム期間Ｆの各選択期間Ｈにて電位ＶDNに設定される。
【００２３】
電位制御回路５３は、各画素回路Ｐの液晶容量ＣLに印加される電圧を確定するための制御信号Ｓ[1]〜Ｓ[m]を生成して各制御線４３に出力する。制御信号Ｓ[1]〜Ｓ[m]の各々は、基準電位ＬＣCOMと電位ＶHと電位ＶLとの何れかに制御される。図４に示すように、電位ＶHは基準電位ＬＣCOMよりも高く、電位ＶLは基準電位ＬＣCOMよりも低い。また、基準電位ＬＣCOMは、電位ＶHと電位ＶLとの中間の電位である。すなわち、電位ＶHおよび基準電位ＬＣCOMの電位差ΔＶと、基準電位ＬＣCOMおよび電位ＶLとの電位差ΔＶとは等しい（ＶH−ＬＣCOM＝ＬＣCOM−ＶL＝ΔＶ）。
【００２４】
第ｉ行目の制御線４３（第ｉ行目の各画素回路Ｐにおける第１電極ｅ1および対向電極２６）に供給される制御信号Ｓ[i]は、図４に示すように、選択信号Ｙ[i]がハイレベルとなる選択期間Ｈの始点にて電位ＶHおよび電位ＶLの何れかに設定される。さらに詳述すると、制御信号Ｓ[i]は、正極性書込が実行されるフレーム期間Ｆの第ｉ番目の選択期間Ｈにて電位ＶLに設定され、負極性書込が実行されるフレーム期間Ｆの第ｉ番目の選択期間Ｈにて電位ＶHに設定される。また、制御信号Ｓ[i]は、選択信号Ｙ[i]がハイレベルとなる選択期間Ｈの経過後（選択信号Ｙ[i]がローレベルに遷移した後）に基準電位ＬＣCOMに変化するとともに、次回に制御信号Ｓ[i]がハイレベルとなる選択期間Ｈまで維持される。
【００２５】
次に、第ｉ行に属する第ｊ列目の画素回路Ｐの動作を説明する。選択期間Ｈにて選択信号Ｙ[i]がハイレベルに遷移すると、スイッチング素子ＳＷが導通することで画素電極２２と第２電極ｅ2とが信号線４５に対して電気的に接続される。また、制御信号Ｓ[i]が電位ＶHおよび電位ＶLの一方に設定される。したがって、図４に示すように、正極性書込が実行されるフレーム期間Ｆの選択期間Ｈにおいては、画素電極２２および第２電極ｅ2の電位ＶPIXがデータ信号Ｘ[j]の電位ＶDPに設定されるとともに、第１電極ｅ1および対向電極２６の電位ＶCOMが電位ＶLに設定される。また、負極性書込が実行されるフレーム期間Ｆの選択期間Ｈにおいては、電位ＶPIXが電位ＶDNに設定されるとともに電位ＶCOMが電位ＶHに設定される。
【００２６】
選択期間Ｈの終点にて選択信号Ｙ[i]がローレベルに遷移すると、スイッチング素子ＳＷが非導通の状態に変化する。一方、選択期間Ｈの経過後に制御信号Ｓ[i]は基準電位ＬＣCOMに遷移する。したがって、正極性書込のフレーム期間Ｆにおいては電位ＶCOMが電位ＶLから基準電位ＬＣCOMに上昇し、負極性書込のフレーム期間Ｆにおいては電位ＶCOMが電位ＶHから基準電位ＬＣCOMに低下する。電位ＶCOMは、次回に選択信号Ｙ[i]がハイレベルとなる時点まで基準電位ＬＣCOMに維持される。
【００２７】
一方、スイッチング素子ＳＷが非導通の状態に遷移することで画素電極２２と第２電極ｅ2とは電気的なフローティング状態となるから、第１電極ｅ1および対向電極２６の電位ＶCOMが選択期間Ｈの経過後に変化すると、電位ＶPIXは、選択期間Ｈにて設定された電位ＶD（ＶDP，ＶDN）から、電位ＶCOMの変化量Δだけ変動する。すなわち、図４に示すように、正極性書込が実行された選択期間Ｈの経過後に電位ＶPIXは電位ＶDPから変化量ΔＶだけ上昇し、負極性書込が実行された選択期間Ｈの経過後に電位ＶPIXは電位ＶDNから変化量ΔＶだけ低下する。電位ＶPIXは、次に選択信号Ｙ[i]がハイレベルとなる時点まで、制御信号Ｓ[i]に応じた変化後の電位（ＶD±ΔＶ）に維持される。選択期間Ｈにおけるデータ信号Ｘ[j]の電位ＶDは、制御信号Ｓ[i]の変動に応じた変化後の電位ＶPIX（さらには液晶容量ＣLに印加される電圧）が、画素回路Ｐに指定された階調に応じた電位となるように設定される。
【００２８】
図５は、白色（最高階調）を表する場合の画素電極２２の電位ＶPIX_WTと、黒色（最低階調）を表示する場合の画素電極２２の電位ＶPIX_BKとを示すタイミングチャートである。液晶容量ＣLの電圧が低下するほど階調（透過率）が低下するノーマリーブラック型が同図においては想定されている。
【００２９】
画素回路Ｐに黒色が指定された場合、正極性書込時の電位ＶDP_BKおよび負極性書込時の電位ＶDN_BKは、図５に示すように、選択期間Ｈの経過後に電位ＶPIX_BKが基準電位ＬＣCOMと略一致するように設定される。また、画素回路Ｐに白色が指定された場合、正極性書込時の電位ＶDP_WTは、選択期間Ｈの経過後の電位ＶPIX_WTが最高値ＶPIX_MAXとなるように設定され、負極性書込時の電位ＶDN_WTは、選択期間Ｈの経過後の電位ＶPIX_WTが最低値ＶPIX_MINとなるように設定される。すなわち、データ信号Ｘ[j]の電位ＶDは、電位ＶDP_BKから電位ＶDN_BKまでの振幅ＡDの範囲内で、画素回路Ｐに指定された階調に応じて設定される。
【００３０】
以上の形態においては、ｍ本の対向電極２６に供給される制御信号Ｓ[1]〜Ｓ[m]のうち選択回路５１による選択行の制御信号Ｓ[i]のみが電位ＶHまたは電位ＶLに設定され、それ以外は基準電位ＬＣCOMに維持される。したがって、例えば第１基板１０の全面にわたって連続する対向電極の電位が周期的に変動する構成（例えば特許文献１の構成）と比較して、対向電極２６の電位の変動に起因した検出用電極１６のノイズを低減する（さらには接触部の位置を高精度に特定する）ことができる。しかも、検出信号ＳDからノイズを除去するといった特許文献１のような特別な回路や、検出用電極１６に対する電位ＶPIXの変動の影響を抑制するためのシールドが原理的には不要であるから、液晶装置１００の構成が簡素化されるという利点もある。
【００３１】
また、対向電極２６が配線層２１や画素電極２２に対して検出用電極１６側に位置するから、走査線４１や信号線４５や画素電極２２の電位の変動が検出用電極１６に与える影響を遮蔽するシールドとして対向電極２６が機能する。したがって、選択信号Ｙ[i]の電位やデータ信号Ｘ[j]の電位ＶDや画素電極２２の電位ＶPIXの変動に起因した検出用電極１６のノイズを低減することが可能である。
【００３２】
ところで、対向電極２６の電位の変動に起因した検出用電極１６のノイズを抑制するという観点のみからすると、総ての対向電極２６の電位を基準電位ＬＣCOMに固定する構成（以下「対比例１」という）も採用され得る。対比例１においては、画素電極２２の電位ＶPIXが、選択期間Ｈにて供給されるデータ信号Ｘ[j]の電位ＶDに設定される。したがって、図５における白表示時の電圧ＶWTを対比例１の構成のもとで液晶容量ＣLに印加するためには、データ信号Ｘ[i]の電位ＶDを最低値ＶPIX_MINから最高値ＶPIX_MAXまでの振幅ＡLの範囲内で変化させる必要がある。これに対して本形態においては、画素電極２２の電位ＶPIXが、選択期間Ｈ内の電位ＶDを制御信号Ｓ[i]に応じて変化させた電位に設定されるから、データ信号Ｘ[j]に必要な振幅ＡDは対比例１と比較して抑制される。したがって、本形態によれば、データ信号Ｘ[j]の電位ＶDの変動に起因した検出用電極１６のノイズを抑制するとともに信号供給回路５５にて消費される電力を低減できるという利点がある。
【００３３】
また、本形態においては、検出用電極１６が第１基板１０の表面に形成される。したがって、第１基板１０とは別個の基板に検出用電極１６を貼着したうえで当該基板を第１基板１０に固定する構成（以下「対比例２」という）と比較して、液晶装置１００の部品数の削減や薄型化が実現される。また、検出用電極１６の貼着に専用される基板が省略される分だけ照明装置３５からの出射光の利用効率が向上するという利点もある。なお、以上に説明したように本形態においては液晶装置１００内の各部の電位の変動を抑制することで検出用電極１６のノイズが低減されるから、検出用電極１６が第１基板１０に直接的に形成されることで検出用電極１６が対比例２と比較して第２基板２０に近接する構成（すなわち液晶装置１００内の電位の変動に応じたノイズが検出用電極１６に発生し易い構成）にも拘わらず、検出用電極１６のノイズを充分に抑制することが可能である。すなわち、液晶装置１００内の各部の電位の変動が抑制されるという本形態の作用は、検出用電極１６が第１基板１０に直接的に形成された構成にとって格別に有効である。
【００３４】
＜Ｂ：変形例＞
以上の各形態には様々な変形を加えることができる。具体的な変形の態様を例示すれば以下の通りである。なお、以下の各態様を適宜に組み合わせてもよい。
【００３５】
（１）変形例１  
以上の形態においては正極性書込と負極性書込とがフレーム期間Ｆごとに交互に実行されるフレーム反転駆動を例示したが、正極性書込と負極性書込との切替の周期はフレーム期間Ｆに限定されない。例えば、正極性書込と負極性書込とが選択期間Ｈごと（行単位）に交互に実行されるライン反転駆動や、Ｘ方向およびＹ方向に隣接する画素回路Ｐごとに正極性書込と負極性書込とが交互に実行されるドット反転駆動も採用される。また、複数のフレーム期間Ｆを単位として正極性書込と負極性書込とを切替えてもよい。
【００３６】
（２）変形例２  
以上の形態においては選択期間Ｈの始点にて制御信号Ｓ[i]が電位ＶHまたは電位ＶLに設定される構成を例示したが、選択期間Ｈの開始前または開始後に制御信号Ｓ[i]が電位ＶHまたは電位ＶLに設定される構成も採用される。すなわち、選択期間Ｈの終点にて制御信号Ｓ[i]が電位ＶHまたは電位ＶLに維持されていればよい。
【００３７】
（３）変形例３  
以上の形態においては複数の画素電極２２が行列状に配列された構成を例示したが、画素電極２２の形状や配列は任意である。例えば、利用者が操作する箇所を示す操作子の画像に対応するように画素電極２２の形状や個数や配列を選定してもよい。
【００３８】
＜Ｃ：応用例＞
次に、本発明に係る液晶装置を利用した電子機器について説明する。図６ないし図８には、以上に説明した何れかの形態に係る液晶装置１００を表示装置として採用した電子機器の形態が図示されている。
【００３９】
図６は、液晶装置１００を採用したモバイル型のパーソナルコンピュータの構成を示す斜視図である。パーソナルコンピュータ２０００は、各種の画像を表示する液晶装置１００と、電源スイッチ２００１やキーボード２００２が設置された本体部２０１０とを具備する。
【００４０】
図７は、液晶装置１００を適用した携帯電話機の構成を示す斜視図である。携帯電話機３０００は、複数の操作ボタン３００１およびスクロールボタン３００２と、各種の画像を表示する液晶装置１００とを備える。スクロールボタン３００２を操作することによって、液晶装置１００に表示される画面がスクロールされる。
【００４１】
図８は、液晶装置１００を適用した携帯情報端末（ＰＤＡ：Personal Digital Assistants）の構成を示す斜視図である。情報携帯端末４０００は、複数の操作ボタン４００１および電源スイッチ４００２と、各種の画像を表示する液晶装置１００とを備える。電源スイッチ４００２を操作すると、住所録やスケジュール帳といった様々な情報が液晶装置１００に表示される。
【００４２】
なお、本発明に係る液晶装置が適用される電子機器としては、図６から図８に例示した機器のほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤなどが挙げられる。
【図面の簡単な説明】
【００４３】
【図１】本発明の実施形態に係る液晶装置の構成を示す断面図である。
【図２】液晶装置の電気的な構成を示すブロック図である。
【図３】画素回路の構成を示す回路図である。
【図４】液晶装置の動作を説明するためのタイミングチャートである。
【図５】黒表示時および白表示時における画素電極の電位を示すタイミングチャートである。
【図６】本発明に係る電子機器の形態（パーソナルコンピュータ）を示す斜視図である。
【図７】本発明に係る電子機器の形態（携帯電話機）を示す斜視図である。
【図８】本発明に係る電子機器の形態（携帯情報端末）を示す斜視図である。
【符号の説明】
【００４４】
１００……液晶装置、１０……第１基板、１６……検出用電極、２０……第２基板、２１……配線層、２２……画素電極、２４……絶縁層、２６……対向電極、３０……液晶、５０……駆動回路、５１……選択回路、５３……電位制御回路、５５……信号供給回路、６０……検出回路、Ｐ……画素回路、ＣL……液晶容量、ＣS……蓄積容量、ＳＷ……スイッチング素子、４１……走査線、４３……制御線、４５……信号線。
【図１】
2008216725.tif 000003
【図２】
2008216725.tif 000004
【図３】
2008216725.tif 000005
【図４】
2008216725.tif 000006
【図５】
2008216725.tif 000007
【図６】
2008216725.tif 000008
【図７】
2008216725.tif 000009
【図８】
2008216725.tif 000010